(57)【要約】      （修正有）【課題】即座に組み立てることができるハンガーラックを提供する。【解決手段】夫々、側壁に形成される連結孔１２と、上壁に設けられる縦チューブ１３と、前記縦チューブの内部における上壁に形成される貫通孔１３１とを有する２本の脚パイプ１０と、両端が夫々前記２本の脚パイプの連結孔に挿入され、前記貫通孔に対応する、上壁における両端の近傍に形成される位置決め開口２２と、前記位置決め開口に連通される、内部における両端の近傍に設けられる内ねじ山スリーブ２１とを有する連結パイプ２０と、夫々、下端が前記縦チューブに収容され、該下端に凸設されると共に、前記貫通孔及び前記開口を通し、前記内ねじ山スリーブに螺入されるネジ棒３６を備える２本の縦パイプ３０と、前記２本の縦パイプの上端に設置される吊設手段とを有するハンガーラックを提供する。【選択図】図３
0003163453.tif 000002
【実用新案登録請求の範囲】
【請求項１】
夫々、側壁に形成される連結孔と、上壁に設けられる縦チューブと、前記縦チューブの内部における上壁に形成される貫通孔とを有する、２本の脚パイプと、
両端が夫々前記２本の脚パイプの連結孔に挿入され、前記貫通孔に対応する、上壁における両端の近傍に形成される位置決め開口と、前記位置決め開口に連通される、内部における両端の近傍に設けられる内ねじ山スリーブとを有する連結パイプと、
夫々、下端が前記縦チューブに収容され、該下端に凸設されると共に、前記貫通孔及び前記開口を通し、前記内ねじ山スリーブに螺入されるネジ棒を備える、２本の縦パイプと、
前記２本の縦パイプの上端に設置される吊設手段と、を有するハンガーラック。
【請求項２】
各縦パイプの下端には、前記縦チューブに収容される小径部が形成される請求項１に記載のハンガーラック。
【請求項３】
各脚パイプの下壁における両端の近傍に夫々形成される挿入孔と、
夫々、前記脚パイプの両端に挿入される挿入部と、該挿入部に形成される、前記挿入孔に対応する取付スリーブとを有する、４つの保持部材と、
夫々、ホイールと、前記ホイールを保持する保持部と、前記保持部に設けられると共に、前記挿入孔を通し、前記取付スリーブに取り付けられる取付棒とを有する、４つの褶動部材と、をさらに有する請求項１または請求項２に記載のハンガーラック。
【考案の詳細な説明】
【技術分野】
【０００１】
本考案は、特にパイプからなるハンガーラックに関するものである。
【背景技術】
【０００２】
図７及び図８に示すように、従来のハンガーラックは、２本の脚パイプ９１と、前記２本の脚パイプ９１を連結する少なくとも１本の連結パイプ９２と、夫々前記２本の脚パイプ９１の上壁に取り付けられる縦パイプ９３と、前記２本の縦パイプ９３に設置される吊設手段（図面にない）と、前記脚パイプ９１の底部に取り付けられる褶動手段９４と、を有する。
【０００３】
各脚パイプ９１は、側壁に形成される２つの取付穴９１２と、夫々該２つの取付穴９１２に対応する、反対側に形成される２つの螺入穴９１１と、上壁に溶接される縦チューブ９１３と、縦チューブ９１３の内部における該脚パイプ９１の上壁に形成される上部貫通穴９１４と、該上部貫通穴９１４に対応する該脚パイプ９１の下壁に形成される螺入穴９１７と、夫々下壁における両端の近傍に形成される２つの取付穴９１５と、を有する。
【０００４】
各連結パイプ９２の内部における両端の近傍には、夫々、前記螺入穴９１１に対応する１つのナット９２１が固設される。各連結パイプ９２は、両端が夫々前記２本の脚パイプ９１の取付穴９１２に挿入され、例えばドライバーなど工具で前記螺入穴９１１を通過させられるネジ棒９２２により、脚パイプ９１と螺合される。
【０００５】
各縦パイプ９３の内部における下端の近傍には、取付ナット９３２が例えば固定板９３３に結合されるなどの態様で固設される。各縦パイプ９３は、下端が前記縦チューブ９１３に収容され、前記螺入穴９１７及び前記上部貫通穴９１４を通過したネジ棒９３１と、該下端の近傍に固設される前記取付ナット９３２との螺着により、脚パイプ９１と螺合される。
【０００６】
前記２本の縦パイプ９３に設置される吊設手段は、例えば両端が夫々前記２本の縦パイプ９３の上端に結合される横方向のパイプからなるものであってもよく、または、さらに前記横方向のパイプの両端を夫々前記２本の縦パイプ９３の上端に連結させるために、夫々、上端が前記横方向のパイプの両端に結合され、下端が前記２本の縦パイプ９３の上端に結合される延長縦パイプを有するものであってもよいが、ハンガーなどを用い、衣服を吊り下げるための周知技術であるので、詳細な説明を省略する。
【０００７】
前記褶動手段９４は、例えば、ホイール９４２と、前記脚パイプ９１の取付穴９１５に挿入される取付ネジ棒９４１とを有する。各脚パイプ９１の両端には夫々１つの保持部材９７が取り付けられる。該保持部材９７は、該保持部材９７の内部に形成される固定部材９７２と、前記取付穴９１５に対応する、前記取付ネジ棒９４１を螺入させるために、前記固定部材９７２に固設される取付ナット９７１と、を有する。
【考案の概要】
【考案が解決しようとする課題】
【０００８】
しかしながら、図７及び図８に示すように、前記縦チューブ９１３の下端と脚パイプ９１の側壁との溶接よりなる溶接部９１６は、脚パイプ９１の側壁を被覆するので、脚パイプ９１の側壁における該縦パイプ９３に対応する箇所に、連結パイプ９２を結合させることができない。即ち、縦パイプ９３と連結パイプ９２とを同軸に脚パイプ９１に結合させることができない。特に前記２本の縦チューブ９１３が夫々前記２本の縦パイプ９３を収容するために、夫々前記２本の脚パイプ９１の中央部に溶接されるので、脚パイプ９１の中央部における側壁において、連結パイプ９２を挿入させるための取付穴９１２を形成させることができないことから、１つのステップにおいて縦パイプ９３と連結パイプ９２とを脚パイプ９１に結合させることができない。
【０００９】
従って、従来のハンガーラックを組み立てる時、前記脚パイプ９１と連結パイプ９２と、または前記脚パイプ９１と縦パイプ９３とを、ネジ棒９２２、９３１で別々に螺合させることになり、相当な時間を要する手作業を行わなくてはならない。
【００１０】
なお、前記褶動手段９４を前記脚パイプ９１に取り付ける時、該褶動手段９４を回転させ、前記取付ネジ棒９４１を前記取付穴９１５を通し、前記取付ナット９７１に螺入させることになり、比較的に長時間を要する手作業が必要とされている。
【００１１】
そこで、案出されたのが本考案であって、即座に組み立てることができるハンガーラックを提供することを目的としている。
【課題を解決するための手段】
【００１２】
本願の請求項１の考案は、夫々、側壁に形成される連結孔と、上壁に設けられる縦チューブと、前記縦チューブの内部における上壁に形成される貫通孔とを有する、２本の脚パイプと、
両端が夫々前記２本の脚パイプの連結孔に挿入され、前記貫通孔に対応する、上壁における両端の近傍に形成される位置決め開口と、前記位置決め開口に連通される、内部における両端の近傍に設けられる内ねじ山スリーブとを有する連結パイプと、
夫々、下端が前記縦チューブに収容され、該下端に凸設されると共に、前記貫通孔及び前記開口を通し、前記内ねじ山スリーブに螺入されるネジ棒を備える、２本の縦パイプと、
前記２本の縦パイプの上端に設置される吊設手段と、を有するハンガーラック、を提供する。
【００１３】
本願の請求項２の考案は、各縦パイプの下端には、前記縦チューブに収容される小径部が形成される請求項１に記載のハンガーラック、を提供する。
【００１４】
本願の請求項３の考案は、各脚パイプの下壁における両端の近傍に夫々形成される挿入孔と、
夫々、前記脚パイプの両端に挿入される挿入部と、該挿入部に形成される、前記挿入孔に対応する取付スリーブとを有する、４つの保持部材と、
夫々、ホイールと、前記ホイールを保持する保持部と、前記保持部に設けられると共に、前記挿入孔を通し、前記取付スリーブに取り付けられる取付棒とを有する、４つの褶動部材と、をさらに有する請求項１または請求項２に記載のハンガーラック、を提供する。
【考案の効果】
【００１５】
本考案は上記の構成を有するので、縦パイプと連結パイプとを同時に脚パイプに結合させ、ハンガーラックの組立時間を大幅に短縮させることができる。なお、本考案における上記の構成によれば、ドライバーなどの工具を使わなくても本考案に係るハンガーラックを簡単に組み立てることができるので、使用上の利便性を向上させることに繋がる。
【図面の簡単な説明】
【００１６】
【図１】本考案に係るハンガーラックの斜視図である。
【図２】本考案に係るハンガーラックの部分斜視図である。
【図３】本考案に係るハンガーラックの部分分解斜視図である。
【図４】本考案に係るハンガーラックの部分断面図である。
【図５】本考案に係るハンガーラックの部分分解斜視図である。
【図６】本考案に係るハンガーラックの部分断面図である。
【図７】従来のハンガーラックの部分分解斜視図である。
【図８】従来のハンガーラックの部分断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１に示すように、本考案に係るハンガーラックは、２本の脚パイプ１０と、連結パイプ２０と、２本の縦パイプ３０と、例えば固定部材６０により前記２本の縦パイプ３０の上端３２に設置される吊設手段５０と、を有するものである。また、該ハンガーラックは、さらに前記２つの脚パイプ１０に夫々２つずつ取り付けられる４つの褶動部材４０を有してもよい。
【００１９】
図２及び図３に示すように、各脚パイプ１０は、側壁に形成される連結孔１２と、上壁に設けられる縦チューブ１３と、前記縦チューブ１３の内部における上壁に形成される貫通孔１３１とを有する。具体的には、前記縦チューブ１３は、脚パイプ１０の上壁に溶接されるものである。
【００２０】
前記連結パイプ２０は、両端が夫々前記２本の脚パイプ１０の連結孔１２に挿入され、前記貫通孔１３１に対応する、上壁における両端の近傍に形成される位置決め開口２２と、前記位置決め開口２２に連通される、内部における両端の近傍に設けられる内ねじ山スリーブ２１とを有する。
【００２１】
さらに図４に示すように、各縦パイプ３０は、下端３１が前記縦チューブ１３に収容され、該下端３１に凸設されると共に、前記貫通孔１３１及び前記開口２２を通し、前記内ねじ山スリーブ２１に螺入されるネジ棒３６を備える。また、縦パイプ３０の外周壁と縦チューブ１３の外周壁とが一体感を有するスムーズな外観を表現させるために、各縦パイプ３０の下端に前記縦チューブ１３に収容される小径部３３が形成されてもよい。また、この実施例において、各縦パイプ３０の内部には、固定プレート３８が形成され、前記ネジ棒３６は前記固定プレート３８との溶接により、縦パイプ３０に固設される。
【００２２】
本考案に係るハンガーラックがさらに前記４つの褶動部材４０を有する態様において、該ハンガーラックがさらに、各脚パイプ１０の下壁における両端の近傍に夫々形成される挿入孔１４と、４つの保持部材７０と、を有する。
【００２３】
図５及び図６に示すように、各保持部材７０は、前記脚パイプ１０の両端に挿入される挿入部７２と、該挿入部７２に形成される、前記挿入孔１４に対応する取付スリーブ７３と、を有する。また、各保持部材７０はさらに、前記脚パイプ１０の両端から突出する封止部７１と、前記封止部７１から前記挿入部７２へ凸設される位置決め部７５と、前記取付スリーブ７３の内周壁に形成される複数の保持リング７９と、を有してもよい。
【００２４】
各褶動部材４０は、ホイール４１と、前記ホイール４１を保持する保持部４２と、前記保持部４２に設けられると共に、前記挿入孔１４を通し、前記取付スリーブ７３に取り付けられる取付棒４３と、を有する。前記取付スリーブ７３の内周壁に保持リング７９が形成される場合、この保持リング７９と前記取付棒４３の外周壁との摩擦により、より強固に該取付棒４３を前記取付スリーブ７３の内部に保持することができる。
【産業上の利用可能性】
【００２５】
本考案は、縦パイプ３０と連結パイプ２０とを同時に脚パイプ１０に結合させ、ハンガーラックの組立時間を大幅に短縮させるので、即座に組み立てることができるハンガーラックを提供することができる。また、各褶動部材４０の取付棒４３を前記挿入孔１４を通し、前記取付スリーブ７３に挿入させることにより、比較的に短時間で各褶動部材４０を保持部材７０に取り付けることができるので、組立時間の短縮を図ることができる。
【符号の説明】
【００２６】
１０    脚パイプ
１２    連結孔
１３１  貫通孔
１３    縦チューブ
１４    挿入孔
２０    連結パイプ
２１    内ねじ山スリーブ
２２    位置決め開口
３０    縦パイプ
３１    縦パイプの下端
３２    縦パイプの上端
３３    小径部
３６    ネジ棒
４０    褶動部材
４１    ホイール
４２    保持部
４３    取付棒
５０    吊設手段
７０    保持部材
７２    挿入部
７３    取付スリーブ
【図１】
0003163453.tif 000003
【図２】
0003163453.tif 000004
【図３】
0003163453.tif 000005
【図４】
0003163453.tif 000006
【図５】
0003163453.tif 000007
【図６】
0003163453.tif 000008
【図７】
0003163453.tif 000009
【図８】
0003163453.tif 000010